(57)【特許請求の範囲】
【請求項１】
上側から足の甲を覆う甲皮と、
前記甲皮の下側を連結するインソール部と、
前記甲皮及びインソール部と結合され、底面（ｏｕｔｓｏｌｅ  ｓｕｒｆａｃｅ）により支持されるアウトソール部と、を含み、
前記アウトソール部は、複数の吸着部が配列される滑り防止構造を備え、前記吸着部は、カップリム（ｃｕｐ  ｒｉｍ）に沿って地面に密着して圧縮されることによって吸着力を提供するカップを含み、
前記吸着部は、前記カップの中心から下方に突出する突起部をさらに含み、
前記吸着部は、カップリム（ｃｕｐ  ｒｉｍ）の高さが前記突起部の下端の高さよりさらに低く位置するように構成され、地面に接触時、カップリム（ｃｕｐ  ｒｉｍ）が地面に接触しながら圧縮されることによって吸着力を提供し、足の荷重が移動時、圧力が増加するにつれて突起部が地面と接触する時、吸着力を解除し、
前記アウトソール部は、前記吸着部の上側を相互間に連結する連結部と、連結部の間に上下方向に貫通形成される開口部とを備え、
前記アウトソール部は、一つの吸着部を中心に等間隔で６個の連結部が６個の吸着部を連結して構成する六角形態のアウトソールユニットを含み、隣接するアウトソールユニットは底部の面積で交差部位を有することを特徴とする滑り防止構造を備えるアクアシューズ。
【請求項２】
前記連結部は、前記吸着部に近づくほど幅が広くなるように形成されることを特徴とする請求項１に記載の滑り防止構造を備えるアクアシューズ。
【請求項３】
前記アウトソール部は、平板形態からなるインレー部を備え、前記インレー部の底面の高さは、前記吸着部の下端の高さに対応することを特徴とする請求項１に記載の滑り防止構造を備えるアクアシューズ。
【請求項４】
前記アウトソール部は、吸着部の配列の縁を成す側壁部を備え、前記インレー部に隣接する連結部の間には開口部が形成され、側壁部に隣接する連結部の間には充填部が形成されることを特徴とする請求項３に記載の滑り防止構造を備えるアクアシューズ。
【請求項５】
前記アウトソール部の前方から前方に向かって延長形成され、水中で水の流れを押しやる熊手部をさらに含み、前記熊手部は、水の流れを押しやる機能の向上のために上側に湾曲した形態で形成され、前記熊手部には前記熊手部が変形されることを防止するための一つ以上の補強リブが備えられることを特徴とする請求項１に記載の滑り防止構造を備えるアクアシューズ。
【発明の詳細な説明】
【技術分野】
【０００１】
本発明は、履物に関し、特に着用感に優れ、かつ水分が多い場所での使用上の快適さ及び安全性が向上できる滑り防止構造を備えるアクアシューズに関する。
【背景技術】
【０００２】
履物は、歩行時の衝撃を緩和して外部から歩行者の足を保護するためのものであって、多くの人々が歩行時に着用する。
【０００３】
このような履物は、通常、足の形に対応するように履物の底部に形成されるインソール部と、足を覆うことができるように履物の上側に形成される甲皮を含む。
【０００４】
最近では、ファッションは勿論健康に対する消費者の関心が高まるにつれ、多様な類型、形状または材質の履物が提案されている。履物の代表的な材質として、革、繊維や合成樹脂などが活用される。
【０００５】
革材質からなる靴の場合、比較的形状の維持がよいため、着用によっても形が大きく変化せず、形状を維持するが、着用に困難があり、歩行によってかかとや足の指の部位に損傷が頻繁に起きるだけでなく、通風性においても弱点を有する。
【０００６】
繊維や合成樹脂のような比較的軟質の材質からなる短靴や運動靴の場合、着用時の楽さはあるが、時間が経つにつれ変形が発生して耐久性が弱いという問題点を有する。
【０００７】
前記のような多様な履物の短所を補完するための多様な試みが行われているが、着用時の便利性と耐久性及び歩行時の足の楽さという課題をすべて満たすことは非常に難しい実情である。
【０００８】
一方、最近では、比較的厚さが薄くかつ軟性が高い材質で履物を構成して、プールや海辺などで便利に使おうとする場合がある。
【０００９】
しかし、このような履物の場合、防水性へのみ焦点をおいているため、内部へ水分が流入すると、着用感を阻害するだけでなく、水分が多い場所で用いられる場合が多いため、滑りによる安全事故の問題点も発生している。
【発明の概要】
【発明が解決しようとする課題】
【００１０】
したがって、前記した問題を解決するため、本発明は、汗及び水分の排出が容易でかつ水気が多い地面での歩行時の安全性が向上できる滑り防止構造を備えるアクアシューズを提供する。
【課題を解決するための手段】
【００１１】
前記目的を達成するため、本発明は、上側から足の甲を覆う甲皮と、前記甲皮の下側を連結するインソール部と、前記インソール部及び甲皮と結合され、底面（ｏｕｔｓｏｌｅ  ｓｕｒｆａｃｅ）により支持されるアウトソール部とを含み、前記アウトソール部は、水分が多い場所で活動上の安全性及び便利性のために複数の吸着部が配列される滑り防止構造を備え、前記吸着部は、カップリムに沿って地面に密着して圧縮されることによって吸着力を提供するカップと、前記カップの中心で下方に突出する突起部と、を含む滑り防止構造を備えるアクアシューズを提供する。
【００１２】
前記吸着部は、カップリムの高さが突起部の下端の高さよりさらに低く位置するように構成されることが求められ得る。
【００１３】
前記吸着部は、地面に接触時にカップリムが地面に接触しながら圧縮されることによって吸着力を提供し得、足の荷重が移動時に圧力が増加することにつれて突起部が地面と接触する時、吸着力を解除し得る。
【００１４】
前記アウトソール部は、水分の排出を改善する構造であって、前記吸着部の上側を相互間に連結する連結部と、連結部の間に上下方向に貫通形成される開口部とを備え得る。
【００１５】
前記アウトソール部は、前後方向を横切るように平板形態からなり、両側に複数の枝部が延長されるインレー部を備え、前記インレー部の底面の高さは、前記吸着部の下端の高さに対応し得る。
【００１６】
前記アウトソール部は、吸着部の配列の縁を成す側壁部を備え、前記インレー部に隣接する連結部の間には開口部が形成され、側壁部に隣接する連結部の間には充填部が形成され得る。前記構造は、堅固性が排水性と両立できるようにする。
【００１７】
また、前記アウトソール部は、均一な吸着力を提供できるように一つの吸着部を中心に等間隔で６個の連結部が６個の吸着部を連結して構成する六角形態のアウトソールユニットを含み得る。
【００１８】
前記甲皮及びインソール部は、相互間に角が対向する状態でボニス裁縫方式で連結されることが求められ得る。
【００１９】
さらに、前記アウトソール部の前方から前方に向かって延長形成され、水中で水の流れを押しやる熊手部をさらに含み得る。
【発明の効果】
【００２０】
本発明によれば、軽量の材質からなり、生産工程を最小化できる構造を有するため、生産性が向上し、かつ足の形と動きに最適化した履物の提供が可能になる効果がある。
【００２１】
また、水分が多い場所での使用時、滑る現象を防止できるように吸着力を利用することによって安全性が向上され得、歩行過程での足の圧力の変化に応じて吸着力が解除され得る構造を有するので、使用上の便利性は極大化される。
【図面の簡単な説明】
【００２２】
【図１】本発明による滑り防止構造を備えるアクアシューズを示す斜視図である。
【図２】本発明の滑り防止構造を備えるアクアシューズで甲皮とアウトソール部との結合状態を示す底面図である。
【図３】本発明による滑り防止構造を備えるアクアシューズの正断面図である。
【図４】本発明の第１実施形態による滑り防止構造を備えるアクアシューズの底面図である。
【図５】本発明の第２実施形態による滑り防止構造を備えるアクアシューズの底面図である。
【図６】本発明の第３実施形態による滑り防止構造を備えるアクアシューズの底面図である。
【図７】本発明の滑り防止構造を備えるアクアシューズの開放部側を示す平面図である。
【図８】本発明の滑り防止構造を備えるアクアシューズの靴敷き部の実施形態に対する底面図である。
【発明を実施するための形態】
【００２３】
以下、添付された図面を参照して、本発明による滑り防止構造を備えるアクアシューズについてさらに詳細に説明する。
【００２４】
本発明のアクアシューズは、特に水が多い溝川、プール、海辺などのような場所で使うことができるように柔軟で、かつ足との密着性に優れ、後述するとおり、滑り防止のための構造及び排水のための構造を備える足に密着する形態の履物を意味する。すなわち、本発明の概念は、水分が多い空間での上面防水性、底部排水性、底面吸着性を同時に備え得、これのために水を意味する「アクア」という用語を使用して機能的な意味としてアクアシューズと定義したことに留意しなければならない。
【００２５】
本発明の概念による滑り防止構造を備えるアクアシューズは、基本的に底部に配置され、地面との滑り防止のための吸着構造を備えるアウトソール部と、前記アウトソール部の上側を覆うように配置される甲皮と、前記甲皮と裁縫される方式で結合され、底面側でアウトソール部の上面と接着される方式で結合されるインソール部とを含んで成る。
【００２６】
アウトソール部は、履物の類型によって多様な形態及びサイズで形成され得、本発明の概念が適用される場合、後述する説明及び図面に限定されるものではない。本発明の説明では、両足が対向するように立っている状態を基準に対向する側を内側、その反対になる方向を外側と定義して使用する。
【００２７】
但し、本発明の滑り防止構造を備えるアクアシューズの用途は、必ずしも前記の例に限定されるものではない。
【００２８】
図１は本発明の実施形態による滑り防止構造を備えるアクアシューズを示す斜視図であり、図２はこれの底面である。
【００２９】
本発明は、上側から大きく甲皮１００、インソール部及びアウトソール部３００からなる。
【００３０】
アウトソール部３００は、上側には足の底部を支持し、下側には地面に接触するように配置されるが、このようなアウトソール部３００は、摩擦力の向上のために天然ゴムや合成ゴム材質からなるが、必ずしもしもこれに限定されるものではない。
【００３１】
本発明の概念では、全体的な履物を成す材質が従来の履物に比べて軽量化となる概念を提示するので、前記アウトソール部３００は、射出成形できる合成樹脂材質、ＴＰＥ（Ｔｈｅｒｍｏ  ｐｌａｓｔｉｃ  ｅｌａｓｔｏｍｅｒｓ）素材、天然ゴムや、合成ゴム材質から選択され得る。
【００３２】
前記アウトソール部３００は、全体的な構造を支持し、他の部位に比べて高い耐久性を有することが好ましいので、前記甲皮１００及びインソール部２００よりその厚さがさらに厚く形成される。
【００３３】
このようなアウトソール部３００は、大きく地面を支持する底部位と甲皮１００の下側の側面を囲む形態の側壁部位とに区分され得るが、軽量の履物の補強性のために側壁部位に上下に隆起及び陥没した形状を有し得る。
【００３４】
本発明は、水分が多い、或いは滑りやすい地面での活動性及び安全性の向上のため、アウトソール部３００が底部に吸着するための構造を含むが、このような吸着構造は、一種の真空吸着カップであり得る。これに対する好ましい実施形態は、図４以下の説明で後述する。
【００３５】
甲皮１００は、全体的に足の甲及び甲幅を囲む形態で形成され、上側には足が入出できる開放部（図面符号は未図示）を備え得る。本発明の軽量の履物の概念を満たすためにこのような甲皮１００の素材は、伸縮性に優れる軽量の材質からなることが好ましいが、伸縮性を考慮してネオプレン（Ｎｅｏｐｒｅｎｅ）素材や、ポリスパン（Ｐｏｌｙｓｐａｎ）材質が用いられ得る。
【００３６】
このような甲皮１００の伸縮性によって足の甲及び甲幅との密着性が向上し、歩行中の足の変形に応じて自然に甲皮１００が柔軟に変形され得るので、足との一体感が向上できる利点を有する。
【００３７】
前記甲皮１００は、概ねアウトソール部３００に直ちに結合される工程を経ず、インソール部２００と先に結合が成されるが、図２では甲皮とインソール部との結合状態を示す。
【００３８】
本発明の概念では、軽量性及び結合の堅固性を向上できるように、甲皮１００とインソール部２００とが裁縫される方式で結合され、アウトソール部３００に対してインソール部２００の底面が共に接着されながらアウトソール部３００の側壁部位の内面で甲皮１００の下側の外面が共に接着される方式で結合が成される。
【００３９】
図２を参照してさらに具体的に調べると、甲皮１００の下端側は、インソール部２００の外周縁に沿って裁縫される方式で結合される。
【００４０】
従来には上足袋を生産することにおいて、甲皮の内面が外側へ向かうように裏返した状態でインソール部に該当する底部を反転させて甲皮の下端側の外周面と底部の底面の外周側とを面接した状態で裁縫をした後に裁縫面が外側から見えないように甲皮を再び裏返して使うことが一般的であった。
【００４１】
このような従来技術の甲皮と底部の結合方式は、外側の仕上げには大きい問題はないが、内面では裁縫された角部位が突出するため、着用感に問題があり、場合によっては足の裏や甲幅に対する身体損傷の恐れが存在した。また、生産工程が複雑な問題もあった。
【００４２】
本発明では、これを考慮して甲皮１００及びインソール部２００をいわゆるボニス方式と呼ばれるワンピースパターンで裁縫する結合方法を提案する。すなわち、甲皮１００の下側端部の角とインソール部２００の外周角を隣接させるように配置し、平面上隣接した部位を上下にジグザグ方式で裁縫糸により連結することによって、一度の裁縫工程で甲皮１００とインソール部２００との結合が完了できるようにした。この時、従来の方式に比べて製作工程が単純化されることは勿論、足に着用時、連結部位に段差や突出部位が存在しないので、着用性が向上する利点があることに留意しなければならない。
【００４３】
前記甲皮１００とインソール部２００とが裁縫される連結部位を連結部２１０と定義して使用し、前記連結部２１０は、後述するとおり、アウトソール部３００の内周側に接着され、外部に露出されない。
【００４４】
一方、前記インソール部２００は、足の裏と直接接触するため、着用感に優れる材質が採択され得る。好ましくは、前記インソール部２００は、汗や水分の吸湿または排水性を考慮して、多数の孔隙または貫通ホールが形成された材質からなるが、これのため、メッシュ形態を有する合成繊維材質からなることが好ましいが、必ずしもこれに限定されるものではない。前記メッシュ形態は足の裏の感触及び排水または吸湿の性能を考慮して多様に形成され得る。このようなメッシュ形態は、後述するとおり、アウトソール部３００の開口部３３０と追加的に備える靴敷き部の連通部と共に排水性を提供する。
【００４５】
本発明では、アウトソール部３００と甲皮１００及びインソール部２００とが接着する方式で結合が成され、軽量の材質で形成されるため、アウトソール部３００による全体的な性能の向上を考慮しなければならない。
【００４６】
このため、前記アウトソール部３００は、底部位及び側壁部位を含むが、側壁部位は隆起及び陥没形状を成し得る。
【００４７】
図１に示すように、アウトソール部３００の側壁部位は、爪先部位で上側に突出する部位と、かかと部位で上側に突出する部位とを含み得る。
【００４８】
前記のようなアウトソール部３００の隆起部と陥没部により、軽量の履物において形態を維持しながらも、身体の自然な変化による変形が容易になされるので、着用感及び耐久性が向上する利点を有するようになる。
【００４９】
また、前記耐久性を考慮して本発明では、甲皮１００には前方甲皮（図面符号は未図示）と後方甲皮１２０とがさらに結合され得る。
【００５０】
前記前方甲皮及び後方甲皮１２０は、甲皮１００が伸縮性が強い材質からなることを考慮して、より多い力を受ける部位で伸縮性をある程度抑制し、かつ外部の衝撃に抵抗性を高めるように機能するが、前方甲皮及び後方甲皮は、甲皮１００よりさらに傾性の材質からなることが好ましい。例えば、前記甲皮１００がネオプレン材質からなる時、前方甲皮及び後方甲皮１２０は、布、革や、合成繊維のような材質からなる。
【００５１】
前記前方甲皮は、足の第３指の骨が配置される部位で前方側に湾曲した湾曲部を備え、前方甲皮の後方側ラインは、太極模様の一部の形態からなる。この時、実質的に足の幅の基準から見る時、足の親指の幅が他の足の指に比べて顕著に大きいので、湾曲部は外側に偏った形態で配置される。
【００５２】
前記後方甲皮１２０は、履物の着脱時に後方側の変形を最小化し、かかとに荷重が加えられた時、これを補強できるように機能し、前方甲皮は、特に歩行時に爪先が上がる現象と外部の衝撃に対する抵抗性を強化するように機能する。
【００５３】
一方、前記後方甲皮１２０は、概ねアウトソール部３００から甲皮１００の開口部側まで後方から上下方向に延長される形態からなり、後方甲皮１２０の上端側には上側にさらに突出した延長部１３０が配置され得る。
【００５４】
前記延長部１３９は、手で把持が可能であり、履物着脱の容易性を向上するように機能し得る。
【００５５】
このような延長部１３９は、後方甲皮１２０と結合され、前方甲皮のように甲皮１００の上面に裁縫される方式で結合することが好ましいが、接着される方式または熱融着される方式などの多様な結合方式を排除するものではない。
【００５６】
後方甲皮１２０は、前方甲皮と同様に軟性の材質からなる甲皮１００の後方側を支持し、耐久性を考慮して下側から左右への幅が最も広く形成されることが好ましい。
【００５７】
前記したとおり、後方甲皮１２０は、上端側に延長部１３９が配置され、把持が可能な構造を有し、甲皮１００との結合のために前後方に貫通する方式で後方裁縫部が形成され得る。
【００５８】
このような前方甲皮及び後方甲皮１２０は、甲皮１００がインソール部２００と結合する前にあらかじめ裁縫される方式で結合され、連結部２１０による結合時、共に裁縫、特に、ボニス裁縫方式で結合されることが好ましい。
【００５９】
一方、前記甲皮１００で足が入出する開口部側では、繰り返し使用による損傷が防止されるように開口部の上端側を囲む形態でリング部（図７の１４０）がさらに配置され得る。
【００６０】
図３は本発明の軽量の履物の断面を示し、具体的には、前方側で概ね第２隆起部が配置される側から左右方向に切断された形態を示す。
【００６１】
前記したとおり、甲皮１００とインソール部２００とが、相互間隔が隣接した状態でボニス工法のような裁縫方式の連結部２１０によって連結が成されると、インソール部２００の底面と甲皮１００の下側の外周に接合部４００が塗布され、前記接合部４００は接着剤のような材質であり得る。但し、前記接合部４００は、アウトソール部３００の上側に塗布されたり、または甲皮１００とインソール部２００とアウトソール部３００に共に塗布されたりする方式で配置されることもできることは勿論である。
【００６２】
これにより接合部４００を介して、インソール部２００とアウトソール部３００、甲皮１００とアウトソール部３００とが結合され、また、インソール部２００と甲皮１００の連結部２１０での連結状態がさらに強化され得る。
【００６３】
ここで、前記隆起部の内面には接合部４００が形成されるので、それぞれの隆起部で甲皮１００との結合が成される。
【００６４】
前記インソール部２００の上側には、緩衝性能及び感触の向上のために靴敷き部５００がさらに配置され得、このような靴敷き部５００は、足の底面と直接接触して排水性能を提供することができる。これについては後述する。
【００６５】
さらに、前記甲皮１００は外面側に結合され、反復的な変形に対して足の構造を適切に支持できる補強部（図示せず）が結合され得る。
【００６６】
このような補強部は、外面に所定の紋様を形成し、かつ前後または上下方向への力を支持できるように所定の骨格として機能することができるが、合成樹脂材質であらかじめ形成され、甲皮１００の外面に裁縫、接着、融着される方式で配置され得る。
【００６７】
このような補強部は、所定の凹凸面として甲皮１００に配置され得るが、美観的な向上及び補強性能を考慮して発泡式捺染で形成されることが好ましい。
【００６８】
この時、前記発泡式捺染は、ポリウレタンフォーム（Ｐｏｌｙ  Ｕｒｅｔｈａｎｅ  Ｆｏａｍ）材質からなるが、甲皮１００がインソール部２００と結合する前の工程で甲皮１００に対してあらかじめ形成され得る。
【００６９】
例えば、前記補強部は、甲皮１００を成す繊維の表面に対して捺染処理面を形成し、これに対して金型をかぶせた状態で捺染剤を注入して成る。この時、発砲インクが注入されると、立体的な形状を成し、これをプレスを介して均一な厚さまたは所望する形状の厚さに形成する過程により形成され得る。
【００７０】
これにより、形成された補強部は、履物が形成された状態で上下方向に配置される形と前後方向に配置される形に区分されるが、上下方向に形成された区間は、上下補強区間として上下方向への引張を支持して、前後方に折り曲げられ、所定の前後方の厚さを有する前後補強区間では前後方向への引張を支持する。
【００７１】
本発明では、前記甲皮１００が、伸縮性が高い材質からなるので、密着性及び一体感に優れる長所があるが、激しい運動には適切でない問題を有するため、補強部により活動性をさらに向上できるようになる利点を有する。
【００７２】
図４は本発明の第１実施形態による滑り防止構造を備えるアクアシューズの底面図である。
【００７３】
本実施形態で便宜上、底面図を基準に示したが、図１のように足に着用されて、地面にアウトソール部３００が接触する状態を基準として説明することに留意しなければならない。
【００７４】
前記したとおり、プールのような水分が多い環境で活動する特性上、所定の摩擦構造を有することが安全性及び活動性のために好ましく、このような摩擦力を真空吸着によって形成し得る。
【００７５】
したがって、アウトソール部３００は、底部に複数の吸着部３１０を備え得る。前記吸着部３１０は、上側に凹む形態のカップであって、真空吸着の機能を行う。
【００７６】
身体の荷重が足の裏に提供されると、圧力によって吸着部３１０が外周側に伸張しながら下方に圧縮され、内部の空気を排出し、これにより吸着部３１０の内部で陰圧によって吸着力が提供され、地面に付着することができる。このような吸着力は地面に形成される水膜によってさらに強化され得る。
【００７７】
吸着力が持続する場合、歩行に不便さをもたらし得るため、前記吸着部３１０は吸着力の解消のための構造をさらに備え得る。これについては後述する。
【００７８】
前記吸着部３１０は、円形で形成されて底面の図示状態で相互間に連結部３２０によって連結され得、前記連結部３２０の間には内部のインソール部２００及び靴敷き部からの水分の排出のための開口部３３０が形成され得る。
【００７９】
前記吸着部３１０及び連結部３２０の配列は、選択的であり得るが、均一な吸着力の提供と多様な種類及び形態の履物への対応を考慮して、一つの吸着部３１０に隣接する吸着部３１０は、正六角形の形態で配列されることが適切である。
【００８０】
すなわち、一つの吸着部３１０は、等間隔で六つの方向に連結部３２０が外周方向に放射状で形成され、これに各々の吸着部３１０が結合され、このように一つの吸着部を囲むように配置される吸着部の相互間にも各々の正六角形の一辺を成すように連結部３２０によって連結が成される。
【００８１】
このような概念により、一つの吸着部３１０で放射状の六個の連結部３２０が延長され、これに六個の吸着部が配列され、一つのアウトソールユニット３０２を形成し得る。それぞれの吸着部３１０は、これを中心に各々アウトソールユニット３０２を形成し得、隣接するアウトソールユニット３０２は、底部の面積で交差部位を有する。
【００８２】
前記連結部３２０の形態は、選択的であるが、吸着部３１０に近づくほど幅が広くなるように形成されることが好ましい。
【００８３】
また、前記連結部３２０の間に形成される開口部３３０は、第１実施形態で、三つの連結部３２０が概ね三角形態からなる。
【００８４】
側壁部３０１は、アウトソール部３００の底面の外周を囲む形態で底部位に延長して形成され得、底面上の外側の骨格を形成し得る。この時、アウトソールユニット３０２の配列は、各側壁部３０１に連結され、このような形態は、全体的に一体の射出物として形成されることが好ましい。
【００８５】
以下、前記吸着部の構造についてさらに詳細に説明する。
【００８６】
地面に対して接触する部位は、主に吸着部３１０であり得、これのために吸着部３１０が連結部３２０より下方に突出する形態で配置されることが好ましい。
【００８７】
これに、連結部３２０は吸着部３１０の上側を連結する形態で配置され、吸着部３１０は上側に凹む円盤形態で形成されるカップ３１１を含む。前記カップ３１１が内部の空間と地面との間に真空圧を形成して吸着力を提供することは前述したとおりである。
【００８８】
しかし、歩行時の吸着力の解除を考慮しなければ不便さは解消されない。このため、吸着力の解除のための追加的な構成が提案され、このような吸着力解除のための構成は、カップ３１１の中心側で下方に突出形成される突起部３１２であり得る。
【００８９】
前記突起部３１２よりカップ３１１のリム（ｃｕｐ  ｒｉｍ）が下側にさらに延長して形成されることが好ましいが、このような形態によりアウトソール部３００の所定の部位が歩行過程で地面に接触が開示されると、カップ３１１のリムが地面に密着され、圧力が提供されることによって圧縮変形されながら内部の空気が抜け出すと共にカップ３１１の底部と地面との間に吸着力が提供される。これにさらに大きい圧力が提供される過程においてカップ３１１の中心側に配置される突起部３１２は、下方に移動しながら地面に接触され、カップ３１１の内部に残留した空気を圧縮しながら地面を押しやる方式で吸着力を解除することができるようにする。
【００９０】
これは歩行時に水分が多い部位における滑りは、最初履物の底部位が接触して水膜が形成される瞬間に発生することを考慮したものであり、持続的に地面との接触部位が変化する過程において接触及び最初圧力の提供の過程ではカップ３１１によって吸着力を発生し、かつ移動のために荷重が地面との接触部の上に移る過程で突起部３１２が下方にさらに移動するようにすると共に、吸着力を自然に解除するための構成である。
【００９１】
前記連結部３２０は、柔軟に変形され、ねじれることによって吸着部３１０の相互間に連結して形態を維持する機能をし、かつ吸着部３１０自体の形態を維持して吸着力が均一に発生できるように底部位の形態を柔軟に可変する機能を行う。
【００９２】
前記開口部３３０は、吸着過程では地面とカップ３１１との間に過度な水膜が発生しないように接触過程である程度の水分を含有できる臨時貯蔵空間として機能する。
【００９３】
図５は本発明の第２実施形態による滑り防止構造を備えるアクアシューズの底面図である。
【００９４】
第１実施形態のように全体的にアウトソールユニット３０２が配列され、一つのアウトソールユニット３０２を形成する連結部３２０の間に各々の開口部３３０が形成される場合、全体的に柔軟性が提供され得るが、剛性や支持力における問題点があり得る。
【００９５】
これを考慮して本発明の第２実施形態では、補強構造としてのインレー部３５０がさらに配置され、支持力を向上できる構造が提示される。
【００９６】
このようなインレー部３５０は、概ね底部位の前後方向を横切るように配置され、両側に所定の枝部位が延長される形態で形成され得る。このようなインレー部３５０の間には前述した吸着部３１０が配列され得る。
【００９７】
前記インレー部３５０は、概ね全体的に平板形態からなり、底面は、吸着部３１０のカップ３１１の下端と対応する高さからなることが好ましい。これにより、下方への圧力の提供時、インレー部３５０が圧縮されながら吸着部３１０で吸着力が円滑に提供され得る。
【００９８】
前記インレー部３５０は、一部に一つ以上の凹溝である溝部３５１と上側に陥没するリング形態の段差部３５２とを備え得る。このような溝部３５１及び段差部３５２は、水分が臨時保存される空間を提供し、かつ平板形態からなるインレー部３５０の水膜現象を最小化するように機能する。
【００９９】
また、歩行時に最初に地面と接触し、最も大きい圧力が形成されるかかと部位に対応するインレー部３５０には、複数の突起が形成される摩擦部３７０がさらに形成されることが好ましい。
【０１００】
一方、本実施形態では連結部３２０の間の空間部である開口部３３０と、連結部３２０の間を埋める形態で形成される充填部３４０が選択的に配列されるが、前記充填部３４０は連結部３２０の連結関係をさらに堅固に支持するようにしてアウトソール部３００の全体的な形態がさらによく維持されるようにする。
【０１０１】
このような開口部３３０及び充填部３４０の配列は、選択的であり得るが、インレー部３５０と隣接する部位では、排水性及び水膜現象の最小化のため、開口部３３０が配列されて側壁部３０１に隣接する部位では剛性の確保のため、充填部３４０が配列されることが好ましい。
【０１０２】
図６は本発明の第３実施形態による滑り防止構造を備えるアクアシューズの底面図である。
【０１０３】
吸着部３１０及びインレー部３５０に関連して、前記と重複する説明は省略する。
【０１０４】
本発明は、アクアシューズであって、プールや海辺のように水遊びが可能な場所において活用性が極大化されることは前述したとおりである。本発明の第３実施形態では、水遊びとしての効用性の向上のため、アウトソール部３００が前方側に水の流れを押しやることができるように熊手部３６０をさらに備える場合を説明する。
【０１０５】
前記熊手部３６０は、アウトソール部３００の前方に突出する形態で形成され、図面に示すように利用者の足に着用されて水を押しやることができる前方の所定の体積を確保する。
【０１０６】
水の流れを押しやる機能の向上のため、前記熊手部３６０は上側に湾曲した形態で形成されることが好ましい。
【０１０７】
また、前後方向に形成されるリブ形態で熊手部３６０の変形をある程度防止できるように一つ以上の補強リブ３６１がさらに配置され得、このような補強リブ３６１の上下方向への厚さは、熊手部３６０の他の部位よりさらに厚く形成され得る。
【０１０８】
このような熊手部３６０は、アウトソール部３００の全体と共に一体の射出構造で形成されることが好ましい。
【０１０９】
図７は本発明による滑り防止構造を備えるアクアシューズの開放部を上側からの視図である。
【０１１０】
前記したとおり、甲皮１００及びインソール部２００は、ボニス裁縫による方式で段差が除去され、相互間に連結部３２０で連結され、甲皮１００の上端側にはリング部１４０が形成され、これは開放部で足が挿入されたり離脱されたりする過程で、耐久性及び感触を向上するように機能する。
【０１１１】
前記リング部１４０は、甲皮１００と裁縫による方式で結合され得る。
【０１１２】
また、前記インソール部２００は、排水性を考慮してメッシュ形態、または多数の孔隙が形成された材質からなるが、このような場合、前記アウトソール部３００の開口部３３０に内部の水分が排出されるが、緩衝性や感触の向上のためにさらに靴敷き部がその上側に配置され得る。
【０１１３】
図８は前記靴敷き部の好ましい実施形態を示す底面である。
【０１１４】
前記靴敷き部は、インソール部２００の上側に脱着可能なように配置され得、前記アウトソール部３００の開口部３３０と連通できる複数の連通部５１０を備え得る。このような連通部５１０の模様、サイズ及び配列は選択的である。
【０１１５】
但し、底部で排水性の向上のため、連通部５１０と連通部５１０との間を連結する形態で溝である連通溝５２０をさらに備えることが好ましいが、このような連通溝は、所定の底の紋を形成し得る。
【０１１６】
靴敷き部５００の中心側にはインソール部２００との摩擦力を提供するための摩擦突起５３０が下方に突出して形成され得る。
【０１１７】
前記したような本発明の滑り防止構造を備えるアクアシューズは、甲皮、インソール部及びアウトソール部が軽量の材質からなり、生産工程を最小化できる構造を有するため、生産性が向上し、かつ足の形と動きに最適化された履物の提供が可能になる利点がある。
【０１１８】
また、水分が多い場所での使用時、滑る現象を防止できるように吸着力を利用することによって安全性が向上され得、足の歩行過程での圧力の変化に応じて吸着力が解除される構造を有するので、使用上の便利性が極大化される。
【０１１９】
以上、本発明について実施形態及び添付する図面に基づいて詳細に説明した。しかし、以上の実施形態及び図面によって本発明の範囲は制限されず、本発明の範囲は、後述する特許請求の範囲に記載された内容によってのみ制限される。
【図１】
0006687643.tif 000002
【図２】
0006687643.tif 000003
【図３】
0006687643.tif 000004
【図４】
0006687643.tif 000005
【図５】
0006687643.tif 000006
【図６】
0006687643.tif 000007
【図７】
0006687643.tif 000008
【図８】
0006687643.tif 000009